(57)【要約】      （修正有）【課題】多様な作付けや耕地形状に対応することができ、不要な箇所に農薬が散布されるのを防止することができる農薬散布装置を提供する。【解決手段】パイプに沿って複数のノズル４０が設けられた噴霧部材１０と、延長パイプ２０と、薬液を供給するためのタンク３０とからなる農薬散布装置１において、Ｏリングを内蔵する継ぎ手部材１２によって、噴霧部材に延長パイプを伸縮可能に連結した。延長パイプが噴霧部材の内部に収納された際に、ノズルへの流路が形成されるようにすることで、延長パイプの伸縮に関わらず、円滑な噴出状態を維持させることが可能となる。【選択図】図１
2016015919.tif 000002
【特許請求の範囲】
【請求項１】
パイプ（１１）の長手方向に沿って複数のノズル部（４０）を設けて構成された噴霧部材（１０）と、
前記パイプ（１１）の内径よりも小さな外径を有する延長パイプ部材（２０）と、
該延長パイプ部材（２０）に薬液を供給するためのタンク（３０）と、を含んで構成される農薬散布装置（１）であって、
Ｏリング（１３）を介して前記噴霧部材（１０）と前記延長パイプ部材（２０）とを伸縮可能に連結すると共に、収縮した際に、前記延長パイプ部材（１０）の外周面と前記噴霧部材（２０）の内周面との間に流路を形成するための隙間が設けられるように構成された継ぎ手部材（１２）を含んで構成したことを特徴とする農薬散布装置。
【請求項２】
前記ノズル部（４０）は、前記パイプ（１１）の周面に沿って設けられた開口部（１４）から立ち上げ形成された有蓋筒状のノズル基部（４１）に、先端に噴出孔（５０）を有するキャップ部（５１）を設けた構造であり、
前記開口部（１４）に連通する連通孔（４４）を前記ノズル基部（４１）の周側面（４３）に設けると共に、該連通孔（４４）から天面部（４５）に向けて斜めに走る溝部（４６）を該周側面（４３）に設け、
前記キャップ部（５１）の内側に、前記噴出孔（５０）に向けて縮径する案内面（５２）を設けたことを特徴とする請求項１に記載の農薬散布装置。
【発明の詳細な説明】
【技術分野】
【０００１】
本発明は、パイプに沿って複数のノズルを設けた農薬散布装置に関し、特に、多様な作付けや耕地形状に対応させて使用することができる農薬散布装置に関する。
【背景技術】
【０００２】
農薬を霧状にして散布するための農薬散布装置には、長尺状のパイプに沿って複数のノズルをスズラン状に設けた構造の噴霧部材を有するものがある。このようなスズラン型の噴霧部材に、タンクから加圧状態で薬液を供給することにより、夫々のノズルから、薬液が一斉に噴霧されるようになっている（特許文献１）。このような農薬散布装置は、噴霧部材を水平に保ち、農作物の列に沿って移動しながら作業を行うものであるが、長さの異なる噴霧部材を各種取り揃えておき、作付けの幅に合わせて適宜付け替えて使用されるのが一般的である。
【先行技術文献】
【特許文献】
【０００３】
【特許文献１】実公平６−３２８１３号公報
【発明の概要】
【発明が解決しようとする課題】
【０００４】
しかしながら、作付けの幅が異なる場合や、耕地の形状が一様でない場合があるため、使用箇所にあわせて噴霧部材を付け替えていたのでは煩雑である。そのため、作付け幅の広い箇所に合わせて、長い噴霧部材を選択せざるを得ず、不要な箇所に農薬が散布されてしまう事態が生じていた。
そこで、多様な作付けや耕地形状に臨機応変に対応することができ、不要な箇所に農薬が散布されることを回避できる農薬散布装置の提供を目的とする。
【課題を解決するための手段】
【０００５】
上記課題を解決するために、本発明に係る農薬散布装置は、パイプの長手方向に沿って複数のノズル部を設けて構成された噴霧部材と、前記パイプの内径よりも小さな外径を有する延長パイプ部材と、該延長パイプ部材に薬液を供給するためのタンクと、を含んで構成される農薬散布装置であって、Ｏリングを介して前記噴霧部材と前記延長パイプ部材とを伸縮可能に連結すると共に、収縮した際に、前記延長パイプ部材の外周面と前記噴霧部材の内周面との間に流路を形成するための隙間が設けられるように構成された継ぎ手部材を含んで構成した。
【０００６】
この場合、前記ノズル部は、前記パイプの周面に沿って設けられた開口部から立ち上げ形成された有蓋筒状のノズル基部に、先端に噴出孔を有するキャップ部を設けた構造であり、前記開口部に連通する連通孔を前記ノズル基部の周側面に設けると共に、該連通孔から天面部に向けて斜めに走る溝部を該周側面に設け、前記キャップ部の内側に、前記噴出孔に向けて縮径する案内面を設けたものであってもよい。
【発明の効果】
【０００７】
請求項１に係る農薬散布装置は、パイプに沿って複数のノズル部を設けて構成された噴霧部材に、Ｏリングを介して延長パイプ部材を伸縮可能に連結し、収縮した際に、延長パイプ部材の外周面と噴霧部材の内周面との間に流路を形成するための隙間が設けられるようにしたので、延長パイプの伸縮に関わらず、円滑な噴出状態を維持させることができる。そのため、農薬が必要な作物の位置に合わせて、延長パイプ部材を伸縮させながら噴霧作業を行うことが可能となり、不要な箇所に農薬が散布されてしまうのを防止できる。
また、Ｏリングの湾曲面を介して延長パイプ部材が連結されるので、噴霧部材からの出し入れを円滑に行うことができる。これによって、噴霧作業の最中であっても、手軽に噴霧部材の長さを変更することができ、多様な作付けや耕地形状に臨機応変に対応させることが可能となる。
【０００８】
請求項２に係る農薬散布装置は、パイプの周面に沿って設けられたノズル部を、有蓋筒状のノズル基部に、先端に噴出孔を有するキャップ部を設けた構造とした。そして、ノズル基部の周側面に連通孔を設けると共に、その連通孔から天面部に向けて斜めに走る溝部を設け、その溝部に導かれた薬液が、キャップ部の内側の案内面に噴射されるようにした。そのため、噴出孔に向けて螺旋状に薬液や噴出され、噴出孔からの噴出角度を大きくすることができる。
これによって、農薬を広範囲に散布することができ、噴霧作業の効率化を図ることができる。
【図面の簡単な説明】
【０００９】
【図１】本実施形態に係る農薬散布装置を示す斜視図である。
【図２】タンクの柄部に延長パイプを取り付けるための継ぎ手部材の内部構造を示す断面図である。
【図３】延長パイプを噴霧部材に取り付けるための延長用継ぎ手部材の内部構造を示す断面図であり、（ａ）は延長パイプと噴霧部材とを分離させた状態、（ｂ）は連結させた状態、（ｃ）は延長パイプを噴霧部材の内部に向けてスライドさせた状態である。
【図４】延長パイプを収縮して噴霧部材の内部に収納した状態を示す説明図である。
【図５】ノズルの構成を示す側面図である。
【図６】上記ノズルのキャップを外した状態を示す平面図である。
【図７】上記ノズルの内部を示し、（ａ）は連通孔の方向から見た正面図であり、（ｂ）はその側面図である。
【図８】延長パイプを伸長させる状態を示す説明図である。
【図９】ノズルの第１変形例を示し、（ａ）は連通孔の方向から見た正面図であり、（ｂ）はその側面図である。
【図１０】ノズルの第２変形例を示し、（ａ）は連通孔の方向から見た正面図であり、（ｂ）はその側面図である。
【図１１】延長用継ぎ手部材の変形例を示す断面図であり、（ａ）は延長パイプと噴霧部材とを分離させた状態、（ｂ）は連結させた状態、（ｃ）は延長パイプを噴霧部材の内部に向けてスライドさせた状態である。
【図１２】本発明の変形態様として、延長パイプを複数段設けた農薬散布装置を示す部分斜視図である。
【発明を実施するための形態】
【００１０】
本発明の好適な実施形態について、添付図面に基づいて説明する。
図１は、本発明の実施形態に係る農薬散布装置１を示す斜視図である。
この農薬散布装置１は、水や農薬、肥料などの液体を霧状にして噴出させ、農作物に供給するためのものであり、噴霧部材１０と、延長パイプ２０と、その延長パイプに薬液を供給するためのタンク３０と、によって構成される。噴霧部材１０は、長尺状のパイプ１１に沿って複数のノズル４０をスズラン状に設けた構造であり、加圧供給された薬液が、夫々のノズル４０から一斉に放出されるように構成されたものである。
【００１１】
タンク３０は、内部に収容された薬液を加圧状態でホース３１へと供給する。ホース３１の先には、噴霧操作を行うためのハンドル３２が設けられている。
ハンドル３２の内部は中空であり、薬液の流通路となっている。その流通路に連通して、パイプ状の柄部３３が設けられる。柄部３３は、継ぎ手部材２１を介して、延長パイプ２０に連結される。
継ぎ手部材２１は、図２に示すように、延長パイプ２０の基端部に固定されたもので、内部に設けられた雌ネジ部２２を介して、柄部３３の雄ネジ部に螺合される。
【００１２】
延長パイプ２０は、噴霧部材１０の基端部に固定された延長用継ぎ手部材１２を介して、噴霧部材１０に対して伸縮可能に連結される。
延長パイプ２０の先端部には、図３に示すように、抜け止用のフランジ部２３が形成されている。
【００１３】
延長用継ぎ手部材１２は、内部に設けられたＯリング１３を介して、延長パイプ２０と噴霧部材１０とを水密に連結する。この場合、Ｏリング１３の断面は、円または楕円形を為しており、外周面が滑りのよい湾曲面となるように設計されている。このように設計することで、連結部における水密性を維持しつつ、延長パイプ２０と噴霧部材１０との間の滑りを良くすることができる。
【００１４】
上記構成の延長用継ぎ手部材１２を介して、延長パイプ２０の先端に噴霧部材１０が伸縮可能に取り付けられる。延長パイプ２０を噴霧部材１０の方向にスライドさせることで、図４に示すように、噴霧部材１０のパイプ１１の内部に、延長パイプ２０が収納されるようになっている。
延長パイプ２０が収納された際に、噴霧部材１０への流路Ａが確保されるように、噴霧部材１０の内径（Ｒ）は、延長パイプの外径（ｒ）よりも大きくなるように設計されている。
【００１５】
この場合、噴霧部材１０のパイプの内径（Ｒ）を、延長パイプ２０の外径（ｒ）の１．２〜２倍（好ましくは、１．５〜１．８倍）の大きさに設定するのが好ましい。これによって、延長パイプ２０の外周面と噴霧部材１０の内周面との間に流路を形成するための隙間が設けられ、ノズル４０への薬液の円滑な供給が確保される。
本実施例では、噴霧部材１０の内径（Ｒ）を１２ｍｍとし、延長パイプ２０の外径（ｒ）を９ｍｍとした。噴霧部材と延長パイプとの間に約１．５ｍｍの幅の流路が形成されるので、延長パイプ２０を噴霧部材１０の内部に完全に収納した場合であっても、ノズル４０に薬液を円滑に供給することができた。
【００１６】
また、延長パイプ２０の長さを、噴霧部材１０の長さよりも短くすると共に、フランジ部２３を小さく設計する。この場合、噴霧部材１０の長さ（Ｌ）と延長パイプ２０の長さ（Ｍ）との差が、延長パイプ２０の内径よりも大きくなるようにするのが好ましい。
このように設計することで、延長パイプ２０から噴霧部材１０へと円滑に流れ込むことができ、ノズル４０への薬液の供給が確保される。
本実施例では、噴霧部材１０の長さ（Ｌ）を１００ｃｍとし、延長パイプ２０の長さ（Ｍ）を９５ｃｍとし、抜け止め用のフランジ部２３の高さを０．５ｍｍ程度としたところ、延長パイプ２０を噴霧部材１０の方向にスライドさせて、その内部に完全に収納させた場合であっても、ノズル４０への薬液の円滑な供給が確保された。
【００１７】
噴霧部材１０は、長尺状のパイプ１１に、その長さ方向に沿って複数のノズル４０を、所定間隔ごとに配設して構成される。パイプ１１の先端開口部は、先端用のノズル４０’が取り付けられている。
以下、ノズル４０の構成について説明する。ノズル４０は、タンク３０から加圧状態で供給される薬液を霧状に噴出させるための部位であり、図５に示すように、パイプ１１の周面に沿って設けられた開口部１４に、有蓋筒状のノズル基部４１を立ち上げて形成される。そして、その先端に、噴出孔５０を有するキャップ５１を取付けて構成される。
【００１８】
ノズル基部４１の筒状部には、キャップ５１を取り付けるための雄ネジ部４２が設けられ、その上方に、パイプ１１の開口部１４に連通する連通孔４４が、周側面４３を貫通するように設けられる。
そして、その連通孔４４から天面部４５に向けて、周側面４３を斜めに走るガイド溝４６が設けられる（図６を参照）。
即ち、連通孔４４が、パイプ１１からの流路Ａに対して直交する方向に設けられ、その直上から天面部４５に向けて、ガイド溝４６が周側面４３に沿って斜め方向に走ることとなる（図７を参照）。
【００１９】
上記構成のノズル基部４１に、ゴムパッキン５３を介して、キャップ５１が取り付けられる。キャップ５１は、有蓋筒状の部材であり、下端部に設けられた雌ネジ部において、ノズル基部４１と螺合する。
天面部４５の中央には噴出孔５０が設けられており、その噴出孔５０に向かう内壁部において薬液の案内面５２が形成される。即ち、キャップ５１の内側の案内面５２に向けて、ノズル基部４１のガイド溝４６からの加圧薬液が噴出されることとなる。
【００２０】
キャップ５１内部の案内面５２と、ノズル基部４１のガイド溝４６とは、その協働によって、薬液を細かい霧の状態にしつつ広範囲に拡散させる。
本実施形態においては、キャップ５１の案内面５２をテーパ状に縮径させると共に、ノズル基部４１の先端部を円錐台の形状とした。ガイド溝４６の形成されている周側面４３を円錐台形状とすることで、キャップ５１の先端の噴出孔５０に向けて、薬液を円滑に導くことができる。
【００２１】
そして、円錐台形状の周側面４３に、斜めに走るガイド溝４６を設けることで、ノズル基部４１の連通孔４４からガイド溝４６へと至った薬液が斜め方向に導かれ、キャップ５１の内部へと螺旋状に噴射されるようになる。そして、キャップ５１の内壁面（即ち、案内面５２）に向けて噴射された薬液は、霧状となり、案内面５２に案内されて、噴出孔５０から、竜巻のごとく噴出される。
これによって、薬液を霧状にして、広範囲に噴出させることが可能となる。
【００２２】
上記構成の農薬散布装置１の使用状態を説明する。
作付け幅の狭い耕地に農薬を散布する際には、図４に示すように、延長パイプ２０を収縮させた状態で使用する。
タンク３０から供給された薬液は、延長パイプ２０を経て、スズラン状の噴霧部材１０へと至る。この際、延長パイプ２０の外周面と、噴霧部材１０の内周面との間に十分な隙間が設けられているので、延長パイプ２０から噴霧部材１０への円滑な流通が確保される。
【００２３】
そして、噴霧部材１０のパイプ周面に沿って設けられた複数のノズル４０から一斉に噴出される。この際、ノズル基部４１の連通孔４４から排出された薬液が、周側面４３から天面部４５に向けて傾斜状に設けられたガイド溝４６に導かれ、キャップ５１内へと螺旋状に噴出され、先端の噴出孔５０から竜巻のごとく噴出される。これによって、噴霧角度θが大きくなり、広範囲に農薬を噴霧することが可能となる（図７を参照）。
【００２４】
作付け幅の広い場所では、図８に示すように、延長パイプ２０を伸長させる。この際、延長用継ぎ手部材１２の内部には、断面円又は楕円形城のＯリング１３が設けられており、このＯリング１３の湾曲面に、延長パイプ２０の外周面が摺接しながらスライドするので、噴霧部材１０に対して水密性を維持しつつ、滑らかに伸長される。
このため、噴霧操作中であっても、手早くパイプの長さを調節することができ、多様な作付け幅や耕地形状に迅速に対応することが可能となる。
【００２５】
本実施例では、ノズル基部４１の周側面４３の２箇所に連通孔４４を設け、それに連通する深さ約１ｍｍのガイド溝４６を設けた。このガイド溝４６を天面部４５に対して約６０度の角度で傾斜させ、直径約０．５ｍｍの噴出孔５０から薬液が噴出するように設計した。
延長パイプ２０を最大限に収縮させた際の噴出角度θと、最大限に伸長させた際の噴出角度θを測定したところ、共に約１１０度であった。
これにより、延長パイプ２０の伸縮に関わらず噴霧状態が一定であり、かつ広範囲に農薬を散布させることができる、という本発明の効果を確認することができた。
【００２６】
なお、本発明において、ノズルの構成は如何なるものであってもよい。即ち、必ずしも、ノズル基部にキャップを設けた構成を採用する必要はないし、ノズル基部の先端を円錐台形状にする必要もない。
また、ノズル４０のキャップ５１内の案内面５２’を、図９に示すように、球面状に設計してもよい。このように構成すれば、ノズル基部４１の連通孔４４からガイド溝４６を経て螺旋状に噴射された薬液を、案内面５２’において幾重にも反射させることができる。
【００２７】
これによって、霧状の薬液が、ノズル基部４１とキャップ部５１との間の空間を、渦を巻くように飛び交い、様々な方向から噴出孔５０へと至らしめることができる。
そのため、薬液を、より細かい霧状にすることができ、噴出角度θを一層大きくすることができる。
また、図１０に示すように、ノズル基部４１の周側面４３”を円柱形状にし、キャップ５１案内面５２”を、僅かにアールをつけた形状にしてもよい。連通孔４４の位置や数なども、様々な態様が可能であるし、ガイド溝４６についても、様々な態様が採用可能である。
【００２８】
延長用の継ぎ手部材は、Ｏリングを介して噴霧部材と延長パイプを伸縮可能に連結する構造において、収縮した際に薬液の流路が形成されるように設計されておれば、如何なる構成であってもよく、例えば、図１１に示すように、雄ネジと雌ネジからなる一対の締結具（２５，１５）をもって延長用継ぎ手部材１２’としてもよい。
この場合、延長パイプ２０の外周面に環装される締結部材２５の内部に、断面半円形状のＯリング１３’を取り付けることで、延長パイプ２０が円滑にスライドされるようにしてもよい。使用に際しては、締結具（２５，１５）を弛めた後、延長パイプ２０をスライドさせ、所望の長さの部位において固定する。
【００２９】
この実施例では、締結具（２５，１５）によってパイプの連結部における結合性を確保した状態で、Ｏリング１３’の弾性変形により水密性が確保される。また、Ｏリング１３’の湾曲面の上を延長パイプ２０がスライドするので、パイプの伸縮が円滑なものとなる。
さらに、図１２に示すように、延長パイプ２０を複数段設けてもよい。この場合、噴霧部材１０に連結された第一の延長パイプ２０’の基部にも、第２の延長用継ぎ手部材１２”を設けることが必要となる。加えて、収縮した際に、第１の延長パイプ２０の内周面と、第２の延長パイプ２０’の外周面との間に流路が形成されるようにすべく、パイプの太さや長さ、継ぎ手部材の形状が設計されることが必要となる。
【産業上の利用可能性】
【００３０】
本発明は、農業用の農薬散布装置に限らず、あらゆる産業分野で使用される噴霧装置に適用することができる。  
【符号の説明】
【００３１】
１…農薬散布装置
１０…噴霧部材
１１…パイプ
１２…延長用継ぎ手部材
１３…Ｏリング
１４…開口部
２０…延長パイプ（延長パイプ部材）
２１…継ぎ手部材
２２…雌ネジ部
２３…フランジ部
３０…タンク
３１…ホース
３２…ハンドル
３３…柄部
４０…ノズル(ノズル部)
４１…ノズル基部
４２…雄ネジ部
４３…周側面
４４…連通孔
４５…天面部
４６…ガイド溝（溝部）
５０…噴出孔
５１…キャップ(キャップ部)
５２…案内面
５３…ゴムパッキン
【図２】
2016015919.tif 000003
【図３】
2016015919.tif 000004
【図７】
2016015919.tif 000005
【図９】
2016015919.tif 000006
【図１０】
2016015919.tif 000007
【図１１】
2016015919.tif 000008
【図１】
2016015919.tif 000009
【図４】
2016015919.tif 000010
【図５】
2016015919.tif 000011
【図６】
2016015919.tif 000012
【図８】
2016015919.tif 000013
【図１２】
2016015919.tif 000014